(57)【特許請求の範囲】
【請求項１】
背凭れを、座者の腰部付近を支持する部分に側面視くの字状の折曲部を有する左右１対の側杆と、それらの対向面同士を連結する背板とを備えるものとし、前記背板における前記折曲部よりも上方の部分を、後方に弾性変形可能であって、前記左右の側杆よりも剛性の小さな可撓部とするとともに、背板における前記可撓部よりも下方の部分を、前記可撓部よりも剛性の大きな非可撓部とし、かつ前記可撓部と非可撓部を、可撓部が非可撓部よりも前方に位置するようにして、左右の側杆の対向面に連結し、さらに、前記可撓部の下端と非可撓部の上端とを、後方に向かって凹入する段差部により連続させたことを特徴とする椅子の背凭れ装置。
【請求項２】
非可撓部の左右方向の中央部を、座の後上方に起立する背凭れ支持杆に連結してなる請求項１記載の椅子の背凭れ装置。
【請求項３】
可撓部に、上下及び左右方向に並ぶ上下方向の長孔を多数設けてなる請求項１または２記載の椅子の背凭れ装置。
【請求項４】
非可撓部の前面に、格子状のリブを、上端が前記段差部と連続するようにして突設した請求項１〜３のいずれかに記載の椅子の背凭れ装置。
【請求項５】
非可撓部の前面に、格子状のリブを挟んで、前面板を装着してなる請求項４記載の椅子の背凭れ装置。
【発明の詳細な説明】
【技術分野】
【０００１】
本発明は、背凭れにおける左右の側杆の対向面同士を、背板により連結してなる椅子の背凭れ装置に関する。
【背景技術】
【０００２】
例えば事務用椅子の背凭れの中には、背凭れ全体を、合成樹脂により一体的に形成し、かつ背中を支持する背板に多数の開口を設けることにより、背凭れに凭れ掛けた際に、背板が後方に適度に撓み、快適な着座感が得られるようにしたものがある(例えば特許文献１〜３参照)。
【先行技術文献】
【特許文献】
【０００３】
【特許文献１】特開２００９−１１２７２９号公報
【特許文献２】特許第４２９５２６６号公報
【特許文献３】特許第４２３８１２２号公報
【発明の概要】
【発明が解決しようとする課題】
【０００４】
上記特許文献１〜３に記載されている椅子の背凭れにおいては、いずれも、正面視方形をなす剛性の大きな背枠(背フレーム)により囲まれた内方に、可撓性の背板を設けてあるので、背凭れをリクライニングさせて、上体を後方に大きく反らした際に、背枠の上端部の左右方向を向く横枠が、背板の上部が後方に撓むのを阻害し、背中の上部が快適に支持されないという問題がある。
また、上記特許文献に記載の椅子の中には、ランバーサポート効果により、腰部付近が快適に支持されるように、背枠と背板における上下方向の中間部を、側面視くの字状に折曲したものもあるが、背枠により囲まれた背板のほぼ全面を、可撓性を有するものとしてあるので、背板の下部のランバーサポート効果は小さい。
【０００５】
本発明は、上記問題点に鑑みてなされたもので、背板の上下部を、可撓部と非可撓部とに明確に区分することにより、座者の背中と腰部付近を快適に支持しうるようにした椅子の背凭れ装置を提供することを目的としている。
【課題を解決するための手段】
【０００６】
本発明によると、上記課題は、次の各項のようにして解決される。
（１）背凭れを、座者の腰部付近を支持する部分に側面視くの字状の折曲部を有する左右１対の側杆と、それらの対向面同士を連結する背板とを備えるものとし、前記背板における前記折曲部よりも上方の部分を、後方に弾性変形可能であって、前記左右の側杆よりも剛性の小さな可撓部とするとともに、背板における前記可撓部よりも下方の部分を、前記可撓部よりも剛性の大きな非可撓部とし、かつ前記可撓部と非可撓部を、可撓部が非可撓部よりも前方に位置するようにして、左右の側杆の対向面に連結し、さらに、前記可撓部の下端と非可撓部の上端とを、後方に向かって凹入する段差部により連続させる。
【０００７】
このような構成とすると、背板は、側杆の折曲部を挟んで、上方の可撓部と、下方の非可撓部とに明確に区分され、かつ座者の背中が支持される側杆の折曲部よりも上方の可撓部は、それよりも剛性の大きな左右１対の側杆の対向面に連結してあり、従来のように、可撓部の上端部が背枠により囲まれていないので、背凭れをリクライニングさせた際に、可撓部が後方に効果的に撓み、背中が快適に支持される。
一方、可撓部より下方の背板は、可撓部よりも剛性の大きな非可撓部とされ、後方に撓みにくくなっているので、ランバーサポート効果が発揮されて、座者の腰部付近が快適に支持される。
また、可撓部の下端と非可撓部の上端とを、後方に凹入する段差部により連続させているので、背板における可撓部と非可撓部との境界部の強度が低下する恐れはない。
【０００８】
（２）上記(１)項において、非可撓部の左右方向の中央部を、座の後上方に起立する背凭れ支持杆に連結する。
【０００９】
このような構成とすると、剛性の大きな非可撓部の左右方向の中央部を、背凭れ支持杆に連結してあるので、背凭れ支持杆に連結されていない可撓部は、上部ほど、後方に撓み易くなり、背中がより快適に支持される。
【００１０】
（３）上記(１)または(２)項において、可撓部に、上下及び左右方向に並ぶ上下方向の長孔を多数設ける。
【００１１】
このような構成とすると、可撓部を、上下方向に並ぶ長孔を中心として、背中にフィットするように、平面視後向き凸円弧状に撓ませることができる。
【００１２】
（４）上記(１)〜(３)項のいずれかにおいて、非可撓部の前面に、格子状のリブを、上端が前記段差部と連続するようにして突設する。
【００１３】
このような構成とすると、非可撓部の前面に格子状のリブを、上端が段差部と連続するようにして突設してあるので、非可撓部の曲げ剛性が、可撓部よりも相対的に大となり、ランバーサポート効果が大となって、腰部付近が快適に支持される。
【００１４】
（５）上記(４)項において、非可撓部の前面に、格子状のリブを挟んで、前面板を装着する。
【００１５】
このような構成とすると、格子状のリブが前面板により体裁よく覆われるとともに、前面板は、その後面の格子状のリブにより補強され、曲げ剛性の大きな非可撓部としての機能を有するようになるので、腰部付近が前面板により快適に支持される。
【発明の効果】
【００１６】
本発明によれば、背板の上下部が、可撓部と非可撓部とに明確に区分され、これらの可撓部と非可撓部とにより、座者の背中と腰部付近とが快適に支持されるようにした椅子の背凭れ装置を提供することができる。
【図面の簡単な説明】
【００１７】
【図１】本発明の一実施形態を備える椅子の正面図である。
【図２】同じく、側面図である。
【図３】同じく、背凭れ支持杆と、それに取り付けられる背凭れの分解斜視図である。
【図４】同じく、背板の正面図である。
【図５】図４のＶ−Ｖ線拡大横断平面図である。
【図６】同じくＶＩ−ＶＩ線拡大横断平面図である。
【図７】背凭れ支持杆への背凭れ取付部の拡大縦断側面図である。
【図８】図７のＶＩＩＩ−ＶＩＩＩ線拡大横断平面図である。
【図９】同じくＩＸ−ＩＸ線拡大横断平面図である。
【発明を実施するための形態】
【００１８】
以下、本発明の実施形態を、図面に基づいて説明する。
図１は、本発明の一実施形態を備える椅子の正面図、図２は、同じく側面図、図３は、同じく要部の分解斜視図で、この椅子は、先端部にキャスタ１を備える放射状をなす５本の脚杆２を有する脚体３を備えている。脚体３の中央には、ガススプリング(図示略)を備える伸縮式の脚柱４が立設されており、脚柱４の上端には、支基５の後部が固着されている。
【００１９】
支基５は、上面が開口するほぼ中空箱状をなし、上面の開口部は、着脱可能なカバー５ａにより覆われている。支基５の両側面には、左右１対の肘掛け６、６が取り付けられている。
【００２０】
支基５の内部には、背凭れ７を起立する方向、すなわち前方に向かって付勢する付勢手段や、支基５によって支持された座８を前方に向かって付勢する付勢手段(いずれも図示略)等が設けられているが、それらについては、本発明に直接関係しないので、図示および詳細な説明は省略する。
【００２１】
背凭れ７は、中間の屈曲部の対向面同士が左右方向を向く連結板９をもって連結され、かつ上半部が座８の後上方に起立する側面視Ｌ字状の左右１対の背凭れ支持杆１０、１０に取付けられている(詳細は後述する)。
左右の背凭れ支持杆１０、１０の前端部は、左右方向の軸１１をもって支基５に枢着され、支基５の後端部と連結板９とに前後の端部が連結されたガススプリング１２の作用により、背凭れ支持杆１０、１０と背凭れ７とは、軸１１を中心として、前後方向に回動したり、所望の後傾角度で停止させられたりしうるようになっている。
【００２２】
背凭れ７は、上下方向の中間部、すなわち、座者の腰部付近の高さと対応する部分が、側面視くの字状に折曲された左右１対の側杆１３、１３と、両側杆１３の対向面同士を連結する、厚さが両側杆１３の前後寸法よりも小とされた背板１４とを備えている。左右の側杆１３、１３の左右寸法と前後寸法は、それぞれ、上方に向かって漸次小とされている。なお、左右の側杆１３、１３と背板１４とは、合成樹脂により一体的に形成されている。
【００２３】
背板１４における座者の背中を支持する部分、すなわち、側杆１３の折曲部１３ａよりもやや上方は可撓部１４ａとされ、座者の腰部付近から下を支持する下半部は非可撓部１４ｂとされている。可撓部１４ａを、両側杆１３の対向面の中間部に、非可撓部１４ｂを、両側杆１３の後縁にそれぞれ連設することにより、それらの連設部である上下方向の中間部には、後方に凹入する水平断面の段差部１５が形成され(図７参照)、かつ、非可撓部１４ｂの前面が、可撓部１４ａの前面よりも後方に位置することにより、段差部１５よりも下方の背板１４の前面には、後方に向かって凹入し、前面及び下面が開口する凹部１６が形成されている。
可撓部１４ａの下縁及び段差部１５の下面は、側杆１３の折曲部１３ａ付近まで、下向き円弧状に湾曲されている。
【００２４】
左右の側杆１３、１３の前後両面には、後方および前方に向かって凹入する上下方向を向く前後１対の凹溝１７、１８が、互いに前後方向に整合させて設けられ、この凹溝１７、１８が設けられた部分の各側杆１３の水平断面は、ほぼＨ字状をなしている(図５参照)。これらの凹溝１７、１８は、背凭れ７に図示しないオプション部材を取り付けるために使用される。
【００２５】
図４及び図５に拡大して示すように、背板１４の可撓部１４ａにおける下端部を除いたほぼ前面には、上下左右方向に並ぶ上下方向に長い長孔１９が、左右方向に千鳥足状に隣接するようにして多数設けられ、可撓部１４ａを、上下方向に並ぶ長孔１９を中心として、平面視後向き凸円弧状に撓み易くすることにより、座者の背中が快適に支持されるようにしてある。可撓部１４ａの後面には、上下方向を向くリブ２０が多数突設され、可撓部１４ａにおける長孔１９と直交する方向への撓み剛性を大としてある。なお、可撓部１４ａの板厚はほぼ均一で、リブ２０の前後寸法のみ、上方に向かうにしたがって、漸次小としてある(図７参照)。
【００２６】
背板１４の非可撓部１４ｂの前面両側部には、上端が段差部１５に連続する格子状のリブ２１が突設され、非可撓部１４ｂの曲げ剛性を、可撓部１４ａの曲げ剛性よりも大とすることにより、座者の腰部付近を支持する部分とその下方を、後方に撓みにくくしてある。なお、非可撓部１４ｂの前面には、後述する合成樹脂製の前面板２８が装着されるが、この前面板２８は、リブ２１を挟んで装着されるので、座者の腰部付近を支持する非可撓部としての機能を有する。
【００２７】
図４及び図６〜図８に示すように、背板１４における段差部１５の両側部下面には、背凭れ７を、左右の背凭れ支持杆１０の上端部を位置決めして保持可能な下方に開口する筒状の保持部２２、２２が、一体的に下向き突設されている。両保持部２２の後面と外側方の外周面の一部は、それぞれ、非可撓部１４ｂの前面と格子状のリブ２１の水平片に接続され、かつ、両保持部２２の前部外周面と、可撓部１４ａの下部前面とを、上下方向のリブ２３、２３をもって接続することにより、左右の保持部２２、２２は補強されている。
【００２８】
背凭れ７を左右の背凭れ支持杆１０、１０に取付けるには、まず、背板１４の非可撓部１４ｂの前面における左右の格子状リブ２１、２１間の凹部１６に挿入した左右の背凭れ支持杆１０、１０の上端部に、背板１４の段差部１５の下面に突設した左右の保持部２２、２２を上方より嵌合して、背凭れ７を左右の背凭れ支持杆１０、１０により仮保持する。
【００２９】
ついで、図９に示すように、背板１４における非可撓部１４ｂの下部前面の中央部に前向き突設された左右方向の固定片２４の前面を、左右の背凭れ支持杆１０、１０の対向面に固着した連結板９の上端部後面に当接させ、連結板９と固定片２４とを、それらに設けた左右２個の通孔２５、２５に前面側より挿入した固定ねじ２６、２６とナット２７、２７により固定する。これにより、背板１４の非可撓部１４ｂは、左右の背凭れ支持杆１０、１０に強固に取り付けられている。
このようにして、背板１４を左右の背凭れ支持杆１０、１０に取付けると、両背凭れ支持杆１０の上端部に筒状の保持部２２、２２が嵌合され、背凭れ支持杆１０の上端部が前方に動くのが阻止されるので、背凭れ７をリクライニングさせた際に、背板１４の下部の固定部に、背板１４から離間する方向のモーメントが加わらず、従って、背板１４の下部の固定強度をそれほど高める必要がない。
なお、固定片２４の通孔２５をめねじ孔として、ナット２７を省略することもある。
【００３０】
背凭れ支持杆１０の上部と、背板１４の非可撓部１４ｂの前面は、非可撓部１４ｂの前部に取付けた、それとほぼ同形の硬質合成樹脂よりなる曲げ剛性の大きな前面板２８により覆われている。
前面板２８は、図８に示すように、その上下左右の後面に後向突設された４個の筒状突部２９を、格子状リブ２１の交差部に形成された複数の係合孔３０(図４参照)の内の適宜の４個のものに圧嵌することにより、可撓部１４ａの前面と同一面に整合するようにして止着されている。なお、前面板２８の上部、すなわち、座者の腰部付近を支持する部分は、側面視くの字状に湾曲されている(図７参照)。
【００３１】
前面板２８の前面と、背板１４の可撓部１４ａの前面と、背板１４の可撓部１４ａの後面とは、二つ折りとしたクッション材３１により覆われている。
【００３２】
以上説明したように、上記実施形態の椅子においては、背板１４の前面における上下方向の中間部よりも下方に、後方に向かって凹入し、前面及び下面が開口する凹部１６を設け、この凹部１６に挿入した左右の背凭れ支持杆１０、１０の上端部に、段差部１５の下面に突設した、下方に開口する筒状の保持部２２、２２を嵌合してあるので、両背凭れ支持杆１０に対し、背板１４を容易に位置決めして仮保持することができる。
従って、背板１４の下部の固定作業、すなわち、非可撓部１４ｂに突設した固定片２４と、左右の背凭れ支持杆１０、１０を連結している連結板９とのねじ止め作業が極めて容易となる。
【００３３】
また、左右の筒状の保持部２２、２２は、背板１４における段差部１５と非可撓部１４ｂの前面に一体的に連設され、前後左右方向の曲げ強度が大とされているので、両保持部２２、２２を、左右の背凭れ支持杆１０、１０の上端部に嵌合しただけでも、背板１４の中間部を、背凭れ支持杆１０、１０の上端部により安定よく保持することができる。
従って、背板１４の中間部をねじ等の固定手段により背凭れ支持杆１０の上端部に固定する必要はなく、背板１４の下部のみを背凭れ支持杆１０の連結板９にねじ止めしただけでも、背板１４の背凭れ支持杆１０への取付強度は十分に確保されるので、従来のように、特別な連結部材を使用したり、上下２箇所でねじにより固定したりする必要はなく、部品点数やコストが削減される。
【００３４】
背板１４における座者の背中を支持する上半部を可撓部１４ａとするとともに、腰部付近から下を支持する下半部を、前面板２８を含めて非可撓部１４ｂとして、背板１４の上半部と下半部とを、撓み易い部分と撓みにくい部分とに明確に区分し、かつ背板１４の中間部よりも下方に形成した凹部１６を背凭れ支持杆１０により支持するとともに、可撓部１４ａと非可撓部１４ｂとを、側面視くの字形をなす剛性の高い左右１対の側杆１３、１３の対向面に連設してあるので、可撓部１４ａが上部ほど後方に撓み易くなり、座者の背中をクッション材３１を介して快適に支持しうるとともに、可撓部よりも剛性の高い非可撓部１４ｂと、その前面の前面板２８とがランバーサポート効果を発揮して、座者の腰部付近を快適に支持することができる。
【００３５】
本発明は、上記実施形態に限定されるものではない。
上記実施形態では、背板１４の前面に凹部１６を形成し、その上面における後方に凹入する段差部１５に連設された保持部２２、２２を、背凭れ支持杆１０、１０の上端部に嵌合するようにしているが、これとは反対に、背板１４の後面に、前方に凹入し、下方に開口する凹部を設け、その上面に形成される前方に凹入する段差面に、上記のような保持部を連設して、この保持部を、背凭れ支持杆１０の上端部に嵌合するようにしてもよい。この際には、前面板２８は必要なく、背板１４の下半部がそのまま非可撓部となるとともに、前方に向かって凹入する凹部の後面に後面板を止着すればよい。
また、下半部における非可撓部の後面に、格子状のリブを突設して、その部分を補強するようにしてもよい。
【００３６】
本発明は、背凭れ７にクッション材３１が装着されていない椅子にも適用することができる。
【符号の説明】
【００３７】
１  キャスタ
２  脚杆
３  脚体
４  脚柱
５  支基
５ａカバー
６  肘掛け
７  背凭れ
８  座
９  連結板
１０  背凭れ支持杆
１１  軸
１２  ガススプリング
１３  側杆
１３ａ折曲部
１４  背板
１４ａ可撓部
１４ｂ非可撓部
１５  段差部
１６  凹部
１７  凹溝
１８  凹溝
１９  長孔
２０  リブ
２１  リブ
２２  保持部
２３  リブ
２４  固定片
２５  通孔
２６  固定ねじ
２７  ナット
２８  前面板
２９  筒状突部
３０  係合孔
３１  クッション材
【図１】
0005524578.tif 000002
【図２】
0005524578.tif 000003
【図３】
0005524578.tif 000004
【図４】
0005524578.tif 000005
【図５】
0005524578.tif 000006
【図６】
0005524578.tif 000007
【図７】
0005524578.tif 000008
【図８】
0005524578.tif 000009
【図９】
0005524578.tif 000010